(57)【要約】【課題】縦型スキャナから離れた位置で補助的に使用されるハンディスキャナがある。このハンディスキャナがチェックアウトカウンタの荷受面上に放置されると、ケーブルが商品カゴ等に絡まってしまい作業の妨げとなる。ケーブルを短くすることで問題は解消されるが、ハンディスキャナの使用範囲が限定されてしまう。【解決手段】ケーブル４５１は、ユニット本体１１１の天井部１１１ａに一端である固定端４５１ｂが固定され、底部１１１ｂに向けて延出して滑車１５１の下半周に巻かれて天井部１１１ａに向けて延出し、他端である自由端４５１ａにはハンディスキャナ４０１が接続される。ユニット本体１１１の天井部１１１ａには、ケーブル４５１を挿通させる挿通部（ケーブル挿通孔１１２ａ）が開口形成されている。滑車１５１は、回動自在かつユニット本体１１１の長手方向に沿って底部１１１ｂと天井部１１１ａとの間を昇降自在に保持されている。【選択図】図１１
2011030421.tif 000002
【特許請求の範囲】
【請求項１】
チェックアウトカウンタの荷受面上に設置される縦型スキャナと、
ハンディスキャナと、
チェックアウトカウンタにおける前記縦型スキャナの一側であって荷受面よりも下方位置に配置されるケーブル収納ユニットと、
前記ケーブル収納ユニットの略真上位置で前記縦型スキャナに設けられて前記ハンディスキャナを保持するホルダと、
を備え、
前記ケーブル収納ユニットは、
円盤状の滑車と、
上下方向に長い形状を有するユニット本体と、
前記ユニット本体の天井部に一端である固定端が固定されて、当該固定端から底部に向けて延出して前記滑車の下半周に巻かれて前記天井部に向けて延出し、他端である自由端がハンディスキャナに接続するケーブルと、
前記ユニット本体の天井部に開口形成されて前記ケーブルの前記延出部分を挿通させる挿通部と、
前記滑車を回動自在かつ前記ユニット本体の長手方向に沿って前記底部と前記天井部との間を昇降自在に保持する保持機構と、
を有し、
前記荷受面の、前記ケーブル収納ユニットと前記ホルダとの間となる位置に、前記ケーブルの延出部分が挿通される貫通孔が形成されたことを特徴とするスキャナシステム。
【請求項２】
前記貫通孔が、前記荷受面の、前記ケーブル収納ユニットの略直上位置に形成されたことを特徴とする請求項１に記載のスキャナシステム。
【請求項３】
前記滑車が錘を内蔵することを特徴とする請求項１または２に記載のスキャナシステム。
【請求項４】
前記ケーブル収納ユニットが、
前記天井部における上昇する前記滑車が衝突する位置に設けられた天井クッションと、
前記底部における降下する前記滑車が衝突する位置に設けられた底クッションと、
を有したことを特徴とする請求項１〜３のうちいずれか一つに記載のスキャナシステム。
【発明の詳細な説明】
【技術分野】
【０００１】
本発明は、ハンディスキャナのケーブルを収納するケーブル収納ユニットを有したスキャナシステムに関する。
【背景技術】
【０００２】
従来、バーコードスキャナとして、オペレータが手に持って自由に移動させて使用するハンディスキャナ（例えば、特許文献１参照）と、チェックアウトカウンタに固定的に設置されて据置使用される縦型スキャナとが普及している。
【０００３】
ところで、商品によっては重すぎたり大きすぎたりしてチェックアウトカウンタ上への載置が困難で、縦型スキャナでのバーコード読み取りに馴染まない商品がある。そこで、ハンディスキャナが、ＰＯＳ端末又は縦型スキャナに接続されて、縦型スキャナの補助として使用されることがある。このような補助的に使用されるハンディスキャナのケーブルは、商品に届かないことがないように、使用が想定される距離範囲をカバーする最大限の長さが確保されている必要がある。
【発明の概要】
【発明が解決しようとする課題】
【０００４】
補助的なハンディスキャナは、その未使用時には、ケーブルと共にチェックアウトカウンタの荷受面上に放置された状態となることが多い。すると、そのケーブルは相当程度の長さを有するので商品カゴや縦型スキャナ等に絡まってしまい、チェックアウト作業の妨げとなる問題が発生する。
【０００５】
ケーブル長を短くすることでこの問題は解消される。しかし、ハンディスキャナを使用可能な距離範囲が大幅に限定されてしまうことになる。
【０００６】
ここで、特許文献１には、リールを回転させてケーブルを巻き取ることで、ハンディスキャナのケーブル長を短くできるようにした技術が記載されている。しかしながら、特許文献１に記載の技術を採用する場合、リールと一体の操作ノブを回転させるという特別な作業をオペレータに強いることになるため煩雑である。
【０００７】
本発明の目的の一つは、ハンディスキャナのケーブルをその未使用時に特別な操作を必要としないで短くすることである。
【課題を解決するための手段】
【０００８】
本発明の実施形態にかかるスキャナシステムにあっては、チェックアウトカウンタの荷受面上に設置される縦型スキャナと、ハンディスキャナと、チェックアウトカウンタにおける前記縦型スキャナの一側であって荷受面よりも下方位置に配置されるケーブル収納ユニットと、前記ケーブル収納ユニットの略真上位置で前記縦型スキャナに設けられて前記ハンディスキャナを保持するホルダと、を備え、前記ケーブル収納ユニットは、円盤状の滑車と、上下方向に長い形状を有するユニット本体と、前記ユニット本体の天井部に一端である固定端が固定されて、当該固定端から底部に向けて延出して前記滑車の下半周に巻かれて前記天井部に向けて延出し、他端である自由端がハンディスキャナに接続するケーブルと、前記ユニット本体の天井部に開口形成されて前記ケーブルの前記延出部分を挿通させる挿通部と、前記滑車を回動自在かつ前記ユニット本体の長手方向に沿って前記底部と前記天井部との間を昇降自在に保持する保持機構と、を有し、前記荷受面の、前記ケーブル収納ユニットと前記ホルダとの間となる位置に、前記ケーブルの延出部分が挿通される貫通孔が形成されたことを特徴の一つとする。
【図面の簡単な説明】
【０００９】
【図１】図１は、実施形態にかかるチェックアウトシステムを示す斜視図である。
【図２】図２は、実施形態にかかるチェックアウトシステムを概略的に示す正面図である。
【図３】図３は、実施形態にかかるホルダをハンディスキャナと共に示す斜視図である。
【図４】図４は、実施形態にかかるケーブル収納ユニットを示す外観斜視図である。
【図５】図５は、実施形態にかかるレール部材の取付状態を示す斜視図である。
【図６】図６は、実施形態にかかるケーブル収納ユニットをユニット本体の一部を切り欠いて示す外観斜視図である。
【図７】図７は、実施形態にかかる滑車と滑車カバーとを示す分解斜視図である。
【図８】図８は、実施形態にかかる滑車カバーに収納された滑車を示す側面図である。
【図９】図９は、図４のＡ−Ａ線断面図である。
【図１０】図１０は、実施形態にかかるケーブル収納ユニットの内部構造を示す模式図である。
【図１１】図１１は、実施形態にかかる底部と天井部とに位置する滑車を示し、（ａ）は側面図、（ｂ）は正面図である。
【発明を実施するための形態】
【００１０】
本発明の実施の形態を図１ないし図１１に基づいて説明する。
【００１１】
図１は、チェックアウトシステム１を示す斜視図である。チェックアウトシステム１は、横長テーブル状のチェックアウトカウンタ３０１を主体に構成されている。チェックアウトカウンタ３０１の上面には、平坦な荷受面３０２が形成されている。荷受面３０２には、商品を収納する商品カゴ（図示せず）が載置される。荷受面３０２の両側における下方領域には、チェックアウト作業に必要な備品を収納する収納棚３１１が設けられている。
【００１２】
チェックアウトカウンタ３０１の長手方向の略中央領域には、縦型スキャナ２０１が設置されている。縦型スキャナ２０１は、荷受面３０２において、オペレータから見て奥側に位置付けられている。縦型スキャナ２０１は、チェックアウトカウンタ３０１に隣接配置されるＰＯＳ端末（図示せず）とデータ送受信自在に接続されている。
【００１３】
なお、縦型スキャナ２０１が設置される荷受面３０２の下方領域には、収納棚３１１は設けられておらず、縦型スキャナ２０１よりも手前側に位置させてパネル３２１が取り付けられている。
【００１４】
縦型スキャナ２０１は、凹部がオペレータ側に形成された薄型矩形形状のスキャナベース２０２と、スキャナベース２０２の上部に取り付けられた操作部２５１とを主体に構成されている。
【００１５】
操作部２５１は、スキャナハウジング２１１の正面よりも手前側に延出させて設けられ、その前部が下方下がりに傾斜した形状をしている。操作部２５１には、タッチパネル２５２が表面に積層されたディスプレイ２５３が設けられている。ディスプレイ２５３の右隣には複数個のキートップが配列されたキーボード２５４が配設されている。オペレータから見て操作部２５１の裏面左奥側には、顧客に情報を提供するための顧客用ディスプレイ２５５が設置されている。
【００１６】
スキャナベース２０２には、その凹部に嵌まり込むようにして、薄型のスキャナハウジング２１１が設けられている。スキャナハウジング２１１の正面には、読取窓２１２が配置されている。スキャナハウジング２１１の内部には、読取窓２１２から読取光を照射する照明用ＬＥＤ、その反射光を受光するＣＣＤイメージセンサ、ＣＣＤイメージセンサの出力信号に関してデコード処理を実行するデコーダ（いずれも図示せず）が内蔵されている。
【００１７】
ところで、スキャナベース２０２は、荷受面３０２を貫通して、荷受面３０２の下方領域にまで延出されている。この延出部分は、パネル３２１によって目隠しされている。
【００１８】
荷受面３０２には、スキャナベース２０２が差し込まれる貫通孔（図示せず）が形成されている。スキャナベース２０２の途中には、両側に延出する板状の鍔部２０３が一体的に設けられている。スキャナベース２０２が荷受面３０２の貫通孔に差し込まれると、鍔部２０３が荷受面３０２に支持される。こうして、縦型スキャナ２０１は、チェックアウトカウンタ３０１に設置される。
【００１９】
図２は、チェックアウトシステム１を概略的に示す正面図である。図２では、チェックアウトカウンタ３０１からパネル３２１を取り外した状態を示している。スキャナベース２０２におけるチェックアウトカウンタ３０１への延出部分には、縦型スキャナ２０１が備えるプラグボックス２７１が配設されている。オペレータから見てスキャナベース２０２におけるこの延出部分の右側には、縦長のケーブル収納ユニット１０１が設置されている。ケーブル収納ユニット１０１については、後述する。
【００２０】
オペレータから見てスキャナベース２０２の右側には、ハンディスキャナ４０１を保持するホルダ２３１が設けられている。ここで、ホルダ２３１は、ケーブル収納ユニット１０１の略直上となる位置でスキャナベース２０２に取り付けられている。縦型スキャナ２０１、ハンディスキャナ４０１、ケーブル収納ユニット１０１、及び、ホルダ２３１は、スキャナシステムを構成する。
【００２１】
図３は、ホルダ２３１をハンディスキャナ４０１と共に示す斜視図である。
【００２２】
ハンディスキャナ４０１について説明する。ハンディスキャナ４０１は、筐体４０２を主体に構成されている。筐体４０２は、オペレータが手で把持するための把持部４０２ａと、把持部４０２ａよりも幅広な読取部４０２ｂとを有する。読取部４０２ｂの先端には、商品に付されているバーコードに近付ける読取窓（図示せず）が設けられている。筐体４０２の内部には、この読取窓から読取光を照射する照明用ＬＥＤ、その反射光を受光するＣＣＤイメージセンサ、ＣＣＤイメージセンサの出力信号に関してデコード処理を実行するデコーダ（いずれも図示せず）が設けられている。
【００２３】
このようなハンディスキャナ４０１を保持するためのホルダ２３１は、略水平に設けられたＵ字形状のＵ字部２３２を有している。Ｕ字部２３２の内幅は、把持部４０２ａよりも広く読取部４０２ｂよりも狭い。したがって、ハンディスキャナ４０１の把持部４０２ａは、Ｕ字部２３２の開放部分から差し込まれる。
【００２４】
Ｕ字部２３２に差し込まれたハンディスキャナ４０１は、自重により落下しようとする。すると、把持部４０２ａと読取部４０２ｂとの付け根部分で、読取部４０２ｂがＵ字部２３２に突き当たり、筐体４０２の抜け落ちが規制される。このようにして、ハンディスキャナ４０１は、ホルダ２３１によって保持される。保持されたハンディスキャナ４０１は、Ｕ字部２３２の開放部分から、容易に引き抜くことができる。
【００２５】
ところで、把持部４０２ａの先端には、ケーブル４５１が接続されている。このようなケーブル４５１におけるハンディスキャナ４０１への接続端を自由端４５１ａと呼ぶ。自由端４５１ａを含むケーブル４５１は、ケーブル収納ユニット１０１から引き出されているものであり、荷受面３０２に形成された荷受面孔３０３から抜け出ている。
【００２６】
ここで、荷受面孔３０３は、スキャナベース２０２が差し込まれるために荷受面３０２に形成された貫通孔の一部である。つまり、鍔部２０３には、荷受面孔３０３を形成するようにして切り欠けが形成されている。なお、荷受面孔３０３は、ケーブル４５１よりも大径である。そのため、ケーブル４５１は、荷受面孔３０３に対して規制されることなく、抜き差し自在となっている。
【００２７】
図４は、ケーブル収納ユニット１０１を示す外観斜視図である。ケーブル収納ユニット１０１には、ケーブル４５１における自由端４５１ａと他端である固定端４５１ｂとの途中部分が収納されている。本実施の形態では、ケーブル４５１の固定端４５１ｂは、縦型スキャナ２０１に接続されている。これにより、ハンディスキャナ４０１は、縦型スキャナ２０１に対してデータ送受信可能となっている。なお、固定端４５１ｂは、ＰＯＳ端末に接続されていてもよい。
【００２８】
ケーブル収納ユニット１０１は、上下方向に長い薄型矩形形状を有する板金製のユニット本体１１１を主体に構成されている。ユニット本体１１１の上面を形成する本体上面部１１２には、ケーブル挿通孔１１２ａとケーブル固定孔１１２ｂとが形成されている。ケーブル挿通孔１１２ａからはケーブル４５１の自由端４５１ａ側が抜け出ている。ケーブル固定孔１１２ｂからは固定端４５１ｂ側が抜け出ている。なお、詳細は後述するが、ケーブル挿通孔１１２ａにおいてケーブル４５１は抜き差し自在である一方で、ケーブル固定孔１１２ｂにおいてケーブル４５１は抜き差し不可に固定されている。本実施の形態では、固定端４５１ｂは、このように固定された部分から縦型スキャナ２０１への接続部分までを含むケーブル４５１の部分を言う。
【００２９】
ユニット本体１１１の正面（図４中左下側の面）を形成する本体正面部１１３には、ユニット本体１１１の長手方向（上下方向）に沿って形成された貫通孔（以下、レール孔１２１と呼ぶ）が設けられている。レール孔１２１の両端は、半円状に形成されている。レール孔１２１には、ユニット本体１１１の内側方向から、樹脂モールド品であるレール部材１６１（レール１６１ｃ）が取り付けられている。
【００３０】
図５は、レール部材１６１の取付状態を示す斜視図である。なお、図５中、ユニット本体１１１については本体正面部１１３のみを示し、本体正面部１１３とレール部材１６１とをその上側部分を切り欠いて示している。
【００３１】
レール部材１６１は、平板状の平板部１６１ａを主体に構成されている。平板部１６１ａは、本体正面部１１３の外形よりも小さい矩形形状を有している。平板部１６１ａの中央部分には、本体正面部１１３と同様に、長手方向（上下方向）に沿わせて両端が半円形状の貫通孔１６１ｂが形成されている。貫通孔１６１ｂの周囲には、平板部１６１ａに対して直角方向に突出するレール１６１ｃが一体に設けられている。このレール１６１ｃは、本体正面部１１３に形成されたレール孔１２１の内周形状に沿わせた形状を有している。
【００３２】
ユニット本体１１１の内側方向から、平板部１６１ａが面接触するようにしてレール部材１６１を本体正面部１１３に取り付けることにより、突出したレール１６１ｃがレール孔１２１に対してその内周に接触して嵌まり込む。本体正面部１１３とレール部材１６１とは図示しない止着部材によって移動不可に固定される。
【００３３】
図４の説明に戻る。レール１６１ｃには、樹脂モールド品であるリング状のカラー１５３が内側から差し込まれている。ここで、ユニット本体１１１には円盤状の滑車１５１が収納されており、カラー１５３は、この滑車１５１の回転中心である回転軸１５２の両端部分に固定的に嵌め込まれているものである。回転軸１５２は、滑車１５１に対して回転自在に設けられている。
【００３４】
図６は、ケーブル収納ユニット１０１をユニット本体１１１の一部を切り欠いて示す外観斜視図である。なお、図６では、滑車１５１がユニット本体１１１の長手方向の略中央位置に位置する状態を示している。
【００３５】
図６に示すように、ユニット本体１１１の背面を形成する本体背面部１１４にも、正面側のレール孔１２１に相当するレール孔１２１が形成されている。そして、この背面側のレール孔１２１にもレール１６１ｃが嵌まり込んでいる（図９参照）。つまり、本体背面部１１４にも、レール部材１６１が内側から固定的に取り付けられている。そして、背面側のレール孔１２１においても、レール１６１ｃには、他方のカラー１５３が内側から差し込まれている（図９参照）。正面側においても背面側においても、カラー１５３の外径は、レール１６１ｃの内幅に対して遊びをもっている。
【００３６】
図６に示すように、滑車１５１は、その円盤面と下半周とを覆う板金製の滑車カバー１７１に収納されている。つまり、滑車１５１は、このような滑車カバー１７１に収納された状態で、ユニット本体１１１に収納されている。そして、このような滑車１５１の下半周に、ケーブル４５１が掛けられているのである。
【００３７】
図７は、滑車１５１と滑車カバー１７１とを示す分解斜視図である。図８は、滑車カバー１７１に収納された滑車１５１を示す側面図である。
【００３８】
滑車１５１には、２００ｇ〜２５０ｇ程度の重量を有する錘（図示せず）が内蔵されている。滑車１５１の外周には、ケーブル４５１が嵌まり込む幅と深さとを有する溝（以下、外周溝１５４と呼ぶ）が形成されている。滑車１５１は、外周溝１５４にケーブル４５１が掛けられた状態で、滑車カバー１７１に収納される。
【００３９】
滑車カバー１７１は、前述したように、滑車１５１の円盤面と下半周とを覆う。つまり、滑車カバー１７１は、滑車１５１の両方の円盤面を覆うカバー正面部１７１ａ及びカバー背面部１７１ｂと、外周溝１５４の下半分を覆うカバー側部１７１ｃとを有する。さらに、滑車カバー１７１は、滑車１５１の底面を覆うカバー底面部１７１ｄを有する。このような滑車カバー１７１は、収納された状態の滑車１５１の外周溝１５４の上半分を露出させる。
【００４０】
両方のカバー側部１７１ｃには、カバー底面部１７１ｄに寄せた位置に、半球状の金属部材である緩衝部１７２が固定されている。緩衝部１７２については、後述する。
【００４１】
滑車カバー１７１に収納された状態で、滑車１５１の中心には回転軸１５２が差し込まれる。差し込まれた状態で、回転軸１５２は、カバー正面部１７１ａとカバー背面部１７１ｂとから突出する部分を有する。この回転軸１５２における突出部分には、樹脂モールド品であるカラー１５３が図示しないブッシュを介して固定的に取り付けられる。また、滑車カバー１７１に収納されて回転軸１５２が差し込まれた滑車１５１は、図８に示すように、その状態において、底面部分がカバー底面部１７１ｄと接触しない位置に位置付けられている。
【００４２】
図９は、図４のＡ−Ａ線断面図である。回転軸１５２は、滑車１５１に対してベアリング１５５を介して嵌め込まれている。そのため、回転軸１５２は、滑車１５１に対して回転自在となっている。
【００４３】
図９に示すように、滑車カバー１７１は、その断面形状においていわばユニット本体１１１の形状を内側にオフセットさせた形状を有している。つまり、ユニット本体１１１と滑車カバー１７１との間には、隙間が形成されている。
【００４４】
本体正面部１１３とカバー正面部１７１ａとの間の隙間には、本体正面部１１３の内壁に取り付けられた平板部１６１ａが位置付けられている。同様に、本体背面部１１４とカバー背面部１７１ｂとの間の隙間には、本体背面部１１４に取り付けられた平板部１６１ａが位置付けられている。ここで、一対の平板部１６１ａ同士が形成する幅は、カバー正面部１７１ａとカバー底面部１７１ｄとが形成する幅よりも幅広になっている。
【００４５】
ユニット本体１１１の両側面を形成する本体側面部１１５とカバー側部１７１ｃとの間の隙間には、カバー側部１７１ｃに固定された緩衝部１７２が位置付けられている。ここで、一対の本体側面部１１５が形成する幅は、一対の緩衝部１７２同士が形成する幅よりも幅広になっている。
【００４６】
したがって、滑車カバー１７１は、ユニット本体１１１に対して当接するものではない。そして、前述したように、カラー１５３もレール１６１ｃに対して遊びがもたれていることから、滑車１５１を収納する滑車カバー１７１は、ユニット本体１１１内において規制されることなく、レール１６１ｃに沿って昇降自在に保持されている。つまり、外力を付与することによって滑車１５１は、収納された滑車カバー１７１と共にレール１６１ｃに沿って上昇させることは可能であるし、また、その外力付与を解除すれば、この滑車１５１は、滑車カバー１７１と共にレール１６１ｃに沿って降下する。以下、滑車カバー１７１に収納された滑車１５１についても、単に「滑車１５１」と呼ぶことがある。
【００４７】
レール１６１ｃに沿った滑車１５１の昇降過程において、その位置に揺れが生じることがある。カラー１５３がレール１６１ｃに対して遊びをもつからである。しかし、このような揺れが生じても、緩衝部１７２が本体側面部１１５に接触するので、カバー側部１７１ｃが直接に本体側面部１１５と接触してしまうことが回避される。
【００４８】
図１０は、ケーブル収納ユニット１０１の内部構造を示す模式図である。前述したように、ユニット本体１１１に収納されているケーブル４５１の固定端４５１ｂ側は、抜き差し不可に固定されている。このようなケーブル４５１の固定は、ケーブル固定孔１１２ｂに固定的に設けられたチューブ状の固定部材１９１にケーブル４５１が圧入されることによって実現されている。
【００４９】
固定部材１９１の下方位置には、ユニット本体１１１の内部を横断するようにして天井板１８２ａが固定されている。天井板１８２ａには、ケーブル４５１の自由端４５１ａ側と固定端４５１ｂ側とを通過させるためのケーブル４５１よりも大径の貫通孔が形成されている。このような天井板１８２ａの下面には、その面を覆うようにしてスポンジ製の天井クッション１８２が取り付けられている。天井クッション１８２にも、天井板１８２ａに形成されている孔に対応させて、ケーブル４５１よりも大径の貫通孔が形成されている。天井クッション１８２が設けられているユニット本体１１１における上端部を天井部１１１ａと呼ぶ。
【００５０】
ユニット本体１１１の底面を形成する本体底面部１１６の上面にも、その面を覆うようにして、スポンジ製の底クッション１８１が取り付けられている。滑車カバー１７１に何ら外力が付与されていない状態では、この滑車カバー１７１は底クッション１８１と接触した状態となっている。底クッション１８１が設けられているユニット本体１１１における下端部を底部１１１ｂと呼ぶ。
【００５１】
ここで、本実施の形態のケーブル４５１は、ホルダ２３１にハンディスキャナ４０１が保持された状態（図１、図２参照）で、滑車１５１が自重により底クッション１８１上に位置付けられる長さを備えている。
【００５２】
図１１は、底部１１１ｂと天井部１１１ａとに位置する滑車１５１を示し、（ａ）は側面図、（ｂ）は正面図である。図１１中、ユニット本体１１１を透過して示し、天井部１１１ａに位置する滑車１５１を破線で示す。また、図１１中、ハンディスキャナ４０１はホルダ２３１（図１１中では図示せず）に保持されている。前述したように、この場合においては、滑車１５１は底部１１１ｂで底クッション１８１上に位置付けられている。
【００５３】
このような構成において、オペレータがハンディスキャナ４０１をホルダ２３１から取り外して所定の使用位置に位置付けると、ケーブル４５１の自由端４５１ａはケーブル収納ユニット１０１に対して引き抜かれて、ユニット本体１１１に収納されているケーブル４５１の自由端４５１ａ側の部分は、ケーブル挿通孔１１２ａから抜け出ようとする。このとき、他方の固定端４５１ｂ側は、固定部材１９１によって固定されているため、ケーブル４５１は、底クッション１８１上の滑車１５１を巻き上げる。このとき、滑車１５１はレール孔１２１（レール１６１ｃ）に沿って昇降自在であるため、レール孔１２１に沿って上昇する。
【００５４】
このような巻き上げに際しては、滑車１５１は、回転軸１５２に対して回転自在であるため、ケーブル４５１との摩擦による回転を伴う。滑車１５１の回転が伴うため、自由端４５１ａの引き抜き動作は非常にスムーズに行われる。
【００５５】
滑車１５１は、ケーブル４５１に巻き上げられて上昇を続けて天井部１１１ａに至ると、天井クッション１８２に衝突して上方向への移動が規制される。天井クッション１８２はスポンジ製であるため、勢い良く滑車１５１が衝突した場合における滑車１５１の衝撃は緩和される。こうして、上方向への移動が規制されて滑車１５１に上昇の余地がなくなると、これ以上のケーブル４５１の自由端４５１ａ側の引き抜き動作は不可となる。
【００５６】
そして、ハンディスキャナ４０１の使用が終了したならば、オペレータはハンディスキャナ４０１をホルダ２３１に戻して保持させる。このように本実施の形態によれば、縦型スキャナ２０１にホルダ２３１が設けられているため、ハンディスキャナ４０１は、その使用後において荷受面３０２等に放置されることがなくなる。
【００５７】
ハンディスキャナ４０１をホルダ２３１に戻すに際しては、ケーブル４５１に対する外力付与は解除される。すると、上昇していた滑車１５１は、その自重によってレール孔１２１に沿って降下を開始する。ケーブル挿通孔１１２ａから排出されていたケーブル４５１の自由端４５１ａ側部分は、降下する滑車１５１によって引き戻されて、再びユニット本体１１１に収納される。
【００５８】
降下する滑車１５１は、底部１１１ｂに至り底クッション１８１に衝突して下方向への移動が規制される。底クッション１８１はスポンジ製であるため、勢い良く滑車１５１が衝突した場合における滑車１５１の衝撃は緩和される。こうして、下方向への移動が規制されて滑車１５１に下降の余地がなくなると、ケーブル４５１の引き戻しは終了する。
【００５９】
以上説明したように本実施の形態によれば、自由端４５１ａが引き抜かれると、ケーブル４５１におけるユニット本体１１１に収納されていた部分が引き出されるため、ハンディスキャナ４０１を縦型スキャナ２０１から離れた位置に自由に引き寄せることができる。そして、ハンディスキャナ４０１をホルダ２３１に戻して自由端４５１ａの排出方向への引き抜き動作を終了させると、引き出されていたケーブル４５１は再びユニット本体１１１に収納されることになる。つまり、ハンディスキャナ４０１が接続された自由端４５１ａ側の引き抜きを止めるだけで、特別な操作を必要とせずに、ケーブル４５１を短くすることができる。
【００６０】
なお、本実施の形態では、ケーブル収納ユニット１０１及びホルダ２３１が縦型スキャナ２０１の右側に位置付けられた例を示したが、縦型スキャナ２０１の左側に位置付けられていてもよい。これにより、チェックアウトシステム１の自由なレイアウトに対応させることができる。
【符号の説明】
【００６１】
１…チェックアウトシステム、１０１…ケーブル収納ユニット、１１１…ユニット本体、１１１ａ…天井部、１１１ｂ…底部、１１２ａ…ケーブル挿通孔（挿通部）、１５１…滑車、１５２…回転軸、１６１ｃ…レール、１８１…底クッション、１８２…天井クッション、２０１…縦型スキャナ、２３１…ホルダ、３０１…チェックアウトカウンタ、３０２…荷受面、４０１…ハンディスキャナ、４５１…ケーブル、４５１ａ…自由端、４５１ｂ…固定端
【先行技術文献】
【特許文献】
【００６２】
【特許文献１】実開平５−１８０６７号
【図１】
2011030421.tif 000003
【図２】
2011030421.tif 000004
【図３】
2011030421.tif 000005
【図４】
2011030421.tif 000006
【図５】
2011030421.tif 000007
【図６】
2011030421.tif 000008
【図７】
2011030421.tif 000009
【図８】
2011030421.tif 000010
【図９】
2011030421.tif 000011
【図１０】
2011030421.tif 000012
【図１１】
2011030421.tif 000013